(57)【要約】【課題】放射線像検出装置において、放射線撮影における作業品質の低下を抑制する。【解決手段】被写体１を通った放射線を検出する被写体用放射線検出パネル１０、放射線に対して不透明な基準マーカ２０ａ、２０ｂ、基準マーカ２０ａ、２０ｂを通った放射線を検出する基準マーカ用放射線検出パネル３０を被写体１の側からこの順に配置する。被写体１に対する放射線の照射方向や照射位置を変更しつつこの被写体１の放射線撮影を複数回行なって、被写体用放射線検出パネル１０および基準マーカ用放射線検出パネル３０から得られる各放射線画像に基づいて被写体１を表す画像データを得る。【選択図】図１
2011183004.tif 000002
【特許請求の範囲】
【請求項１】
被写体に対する放射線の照射方向と照射位置の少なくとも一方を変更しつつ前記被写体の放射線撮影を複数回行なって得られる各放射線画像に基づいて前記被写体を表す画像データを得るために用いられる放射線像検出装置であって、
前記被写体を通った放射線を検出する被写体用放射線検出パネルと、
前記放射線に対して不透明な基準マーカと、
該基準マーカを通った放射線を検出する基準マーカ用放射線検出パネルとを備え、
前記被写体用放射線検出パネル、前記基準マーカ、前記基準マーカ用放射線検出パネルが、前記被写体の側からこの順に配置されていることを特徴とする放射線像検出装置。
【請求項２】
前記基準マーカが、前記被写体用放射線検出パネルの検出面から該検出面に対して直交する方向へ延びる領域内に配置されていることを特徴とする請求項１記載の放射線像検出装置。
【請求項３】
前記被写体用放射線検出パネル、前記基準マーカ、および前記基準マーカ用放射線検出パネルが、同一の筐体内に収容されていることを特徴とする請求項１または２記載の放射線像検出装置。
【請求項４】
前記被写体用放射線検出パネルが収容されている被写体検出用の筐体と、該被写体検出用の筐体から分離可能な、前記基準マーカ、および前記基準マーカ用放射線検出パネルが収容されている基準マーカ検出用の筐体とを個別に備えていることを特徴とする請求項１または２記載の放射線像検出装置。
【請求項５】
前記基準マーカを２つ以上備えたものであることを特徴とする請求項１から４のいずれか１項記載の放射線像検出装置。
【発明の詳細な説明】
【技術分野】
【０００１】
本発明は放射線像検出装置に関し、詳しくは、被写体に対する放射線の照射方向や照射位置を変更しつつこの被写体の放射線撮影を複数回行なって得られる各放射線画像に基づいて被写体を表す画像データを得るために用いられる放射線像検出装置に関するものである。
【背景技術】
【０００２】
従来より、被写体に対する放射線の照射角度を変更しつつこの被写体の放射線撮影を行ない、この放射線撮影によって得られた複数の放射線画像に基づいて、その被写体内の断面を表す断層画像（例えばトモシンセシス画像ともいう）を生成したり、この被写体の内部を表す３次元画像を生成したりする手法が知られている。
【０００３】
このように、複数の放射線画像を関連付けて画像処理を行うときには各放射線画像の位置関係を対応付けるための位置情報が必要となる。そのため、放射線撮影を行なう際には、放射線を発する放射線源とその放射線を検出する放射線像検出装置との間に基準マーカを配置し、放射線撮影で得られる各放射線画像中に写し込まれた基準マーカを基準にして各放射線画像を関連付けている（特許文献１参照）。
【先行技術文献】
【特許文献】
【０００４】
【特許文献１】特開平８−３８４６９号公報
【発明の概要】
【発明が解決しようとする課題】
【０００５】
ところで、この基準マーカは、放射線撮影で得られる各放射線画像中に被写体と共に写し込まれるため、放射線像検出装置の検出面のうち被写体の撮影に利用できる領域が制限されるという問題がある。さらに、放射線撮影で得られる放射線画像中の関心領域に基準マーカが写し込まれる虞があり、そのように関心領域に基準マーカが写し込まれたときには再撮影を行うことになるという問題もある。
【０００６】
そのため、基準マーカの存在を考慮することなく放射線撮影を行いたいという要請がある。
【０００７】
本発明は、上記事情に鑑みてなされたものであり、放射線撮影における作業品質の低下を抑制することができる放射線像検出装置を提供することを目的とするものである。
【課題を解決するための手段】
【０００８】
本発明の放射線像検出装置は、被写体に対する放射線の照射方向と照射位置のうち少なくとも一方を変更しつつこの被写体の放射線撮影を複数回行なって得られる各放射線画像に基づいてその被写体を表す画像データを得るために用いられる放射線像検出装置であって、この被写体を通った放射線を検出する被写体用放射線検出パネルと、その放射線に対して不透明な基準マーカと、この基準マーカを通った放射線を検出する基準マーカ用放射線検出パネルとを備え、被写体用放射線検出パネル、基準マーカ、基準マーカ用放射線検出パネルが、被写体の側からこの順に配置されていることを特徴とするものである。
【０００９】
なお、前記「被写体を表す画像データ」は、そのまま医師の診断に用いることが可能な診断用の画像を表す画像データであってもよいし、あるいは、その診断用画像を生成するために用いる生データ（例えば、診断用画像を生成するときの再構成処理に用いる複数の原画像を表す画像データ）等であってもよい。
【００１０】
前記基準マーカは、被写体用放射線検出パネルの検出面からこの検出面に対して直交する方向へ延びる領域内に配置されたものとすることができる。なお、基準マーカは、この基準マーカの全部が検出面に対して直交する方向へ延びる領域に含まれるように配置されるようにすることが望ましいが、この基準マーカの一部のみがその領域に含まれるように配置するようにしてもよい。
【００１１】
さらに、この基準マーカは、被写体用放射線検出パネルの検出面からこの検出面に対して直交する方向へ延びる領域に含まれないように、すなわちこの領域から外れた位置に配置するようにしてもよい。
【００１２】
ここで、前記検出面からこの検出面に対して直交する方向へ延びる領域は、検出面から反被写体側、すなわち被写体の側とは反対の側に延びる領域である。
【００１３】
前記被写体用放射線検出パネル、基準マーカ、および基準マーカ用放射線検出パネルは、同一の筐体内に収容されたものとすることができる。
【００１４】
前記放射線像検出装置は、被写体用放射線検出パネルが収容されている被写体検出用の筐体と、この被写体検出用の筐体から分離可能な、前記基準マーカ、および基準マーカ用放射線検出パネルが収容されている基準マーカ検出用の筐体とを個別に備えたものとすることもできる。
【００１５】
前記放射線像検出装置は、基準マーカを２つ以上備えたものとすることができる。
【発明の効果】
【００１６】
本発明の放射線像検出装置によれば、被写体用放射線検出パネル、基準マーカ、基準マーカ用放射線検出パネルを、被写体の側からこの順に配置したので、基準マーカを通った放射線が被写体用放射線検出パネルで検出されないようにすることができる。これにより、被写体用放射線検出パネルを介して取得した放射線画像に基準マーカの放射線像が写し込まれることがなく、また、被写体用放射線検出パネルの検出面における被写体の放射線撮影に使用可能な領域が制限されることもないので、基準マーカの存在を考慮することなく放射線撮影を行うことができ、基準マーカを用いた放射線撮影における作業品質の低下を抑制することができる。
【００１７】
また、基準マーカを、被写体用放射線検出パネルの検出面から該検出面に対して直交する方向へ延びる領域にこの基準マーカが含まれるように配置すれば、装置サイズをより小型化することができる。
【００１８】
また、基準マーカを２つ以上備えるようにすれば、複数の放射線画像に基づいて画像処理を行うときに各放射線画像を関連付けることができるので、より品質の高い診断用の画像を生成することができる。
【図面の簡単な説明】
【００１９】
【図１】本発明の実施の形態による放射線像検出装置を備えた放射線像撮影システムの概略構成を示す正面図
【図２】被写体用放射線検出パネルを外した状態の放射線像検出装置を上方から見た平面図
【図３】トモシンセシス撮影で基準マーカの放射線像が記録される様子を拡大して示す図
【図４】被写体用放射線検出パネルを介して得られた放射線画像を示す図
【図５】基準マーカ用放射線検出パネルを介して得られた放射線画像を示す図
【図６】トモシンセシス撮影における各放射線撮影で得た基準マーカの画像を重ねて示す図
【図７】変形例１の放射線像検出装置から被写体用放射線検出パネルを外した状態を示す平面図
【図８】変形例２の放射線像検出装置をＸ−Ｚ平面で切断した状態を示す正面図
【図９】変形例２の放射線像検出装置から被写体用放射線検出パネルを外した状態を示す平面図
【図１０】変形例３の放射線像検出装置をＸ−Ｚ平面で切断した状態を示す正面図
【図１１】変形例３の放射線像検出装置を２つの構成要素に分離した状態を示す正面図
【図１２】変形例４の放射線像検出装置をＸ−Ｚ平面で切断した状態を示す正面図
【発明を実施するための形態】
【００２０】
以下、本発明の実施の形態について図面を用いて説明する。図１は本発明の実施の形態による放射線像検出装置を備えた放射線像撮影システムの概略構成を示す正面図であり、図１中に示す放射線像検出装置は、この放射線像検出装置をＸ−Ｚ平面で切断した状態を示している。図２は被写体用放射線検出パネルを外した状態の放射線像検出装置を上方から見た平面図、図３はトモシンセシス撮影を行うときに基準マーカの放射線像が記録される様子を拡大して示す図である。図４は被写体用放射線検出パネルを介して得られた放射線画像を示す図、図５は基準マーカ用放射線検出パネルを介して得られた放射線画像を示す図である。図６は、トモシンセシス撮影による複数回の放射線撮影で得られた基準マーカを表す画像を重ねて示す図である。
【００２１】
なお、図中矢印Ｘ方向はトモシンセシス撮影を行うときの放射線源の移動方向であり水平な方向である。図中矢印Ｙ方向は放射線源の移動方向と直交する方向であり水平な方向である。図中矢印Ｚ方向は上記Ｘ方向およびＹ方向と直交する鉛直方向である。
【００２２】
図示の本発明の実施の形態による放射線像検出装置１００は、被写体１に対する放射線の照射方向および／または照射位置を変更しつつこの被写体１を通った放射線を検出する放射線撮影を行なって得られる複数の放射線画像に基づいて被写体の断層画像、長尺合成画像、３次元画像、ステレオ画像、動画像等を表す画像データ、あるいは、それらを生成するために用いられる複数の原画像データを得るために用いられるものである。ここでは、主に、放射線像検出装置１００を、被写体の断層画像を表す画像データを得るために用いる場合について説明する。
【００２３】
この放射線像検出装置１００は、被写体１を通った放射線を検出する被写体用放射線検出パネル１０と、放射線に対して不透明な基準マーカ２０ａ、２０ｂと、基準マーカ２０ａ、２０ｂ（以後、まとめて基準マーカ２０とも言う）を通った放射線を検出する基準マーカ用放射線検出パネル３０とを備えている。さらに、この放射線像検出装置１００は、被写体用放射線検出パネル１０、基準マーカ用放射線検出パネル３０等の動作を制御する電装部４０を備えている。
【００２４】
なお、この放射線像検出装置１００には、被写体用放射線検出パネル１０、基準マーカ２０、基準マーカ用放射線検出パネル３０が、被写体１の側からこの順に配置されている。
【００２５】
さらに、基準マーカ２０は、被写体用放射線検出パネル１０の検出面１１からこの検出面１１に対して直交する方向（図中矢印−Ｚ方向、すなわち被写体１の側とは反対の反被写体方向）に延びる領域１０Ｒ内に、基準マーカ２０の全部が含まれるように配置されている。なお、検出面１１は図中Ｘ−Ｙ方向に平行な面である。
【００２６】
この基準マーカ２０は、被写体用放射線検出パネル１０の検出面１１から反被写体方向に延びる領域１０Ｒ内に基準マーカ２０の全部が含まれるように配置される場合に限らず、領域１０Ｒ内に基準マーカ２０の一部が含まれるように配置してもよい。さらに、この基準マーカ２０を、領域１０Ｒ内に基準マーカ２０が全く含まれないように配置してもよい。
【００２７】
電装部４０は、被写体用放射線検出パネル１０が検出した被写体１の放射線像を表す画像データを外部に出力する。
【００２８】
また、基準マーカ用放射線検出パネル３０が検出した基準マーカ２０ａ、２０ｂの放射線像を表す画像データも電装部４０を介して外部に出力される。
【００２９】
この基準マーカ２０ａ、２０ｂは、放射線の透過率が極めて小さい材料で形成されたものとすることが望ましく、ここでは、鉛材料やタングステン材料等からなるものとする。
【００３０】
これらの基準マーカ２０ａ、２０ｂは、電装部４０の外壁から延びる放射線に対して透明な支持棒２１ａ、２１ｂそれぞれによって支持されている。
【００３１】
ここでは、放射線像検出装置１００は、２つの基準マーカ（基準マーカ２０ａ、２０ｂ）を備えたものとするが、放射線像検出装置１００の備える基準マーカは１つであってもよいし、３つ以上であってもよい。
【００３２】
また、被写体用放射線検出パネル１０、基準マーカ２０、基準マーカ用放射線検出パネル３０、および電装部４０は、同一筐体内に収容され互いの位置関係が固定されている。
【００３３】
なお、この放射線像検出装置１００を備えた放射線像撮影システム８００は、放射線像検出装置１００の他に、放射線を発する放射線照射装置８２０と、放射線像検出装置１００によって取得した各放射線画像を示す画像データに関する画像処理を行う画像処理部８４０と、画像処理部８４０で作成された被写体の断層画像を表示する表示部８６０と、装置全体の動作タイミングを同期させるように各部の動作を制御するコンソール８８０とを備えている。コンソール８８０は、操作者の指示を入力する操作盤を備えている。
【００３４】
上記放射線照射装置８２０は、放射線源８２２と、この放射線源８２２を支持しつつこの放射線源８２２を水平方向（図中Ｘ方向）に移動させるためのガイドとなるレール部８２４と、この放射線源８２２をレール部８２４に沿って移動させるための駆動力を供給する駆動部８２６とを有している。
【００３５】
この放射線照射装置８２０は、放射線像検出装置１００の上方に配置され、放射線源８２２を被写体用放射線検出パネル１０の検出面１１と平行な水平方向に移送するものである。
【００３６】
画像処理部８４０は、トモシンセシス撮影を行って放射線像検出装置１００で取得した複数の放射線像を示す各画像データをコンソール８８０を介して入力し、それらに基づいて被写体の断層画像を表す画像データを作成するものである。
【００３７】
なお、コンソール８８０の内部に画像処理部８４０と表示部８６０とを収容するようにしてもよい。
【００３８】
次に、放射線像撮影システム８００を用いて放射線撮影を行うときの作用について説明する。ここでは、特に、放射線像撮影システム８００を用いてトモシンセシス撮影を行う場合の放射線像検出装置１００の作用について詳しく説明する。
【００３９】
放射線像検出装置１００と放射線源８２２との間に被写体１が配置されると、操作者（図示は省略）がコンソール８８０を操作して、被写体１中の特定の断面を表す画像を取得するためのトモシンセシス撮影を開始する。
【００４０】
コンソール８８０からの命令を入力した放射線照射装置８２０は、駆動部８２６の駆動により、放射線源８２２を、初期位置であるレール部８２４の一端（−Ｘの側）に移送し、その後、レール部８２４に沿ってこの放射線源８２２を水平方向（図中＋Ｘ方向）へ移送する。
【００４１】
放射線源８２２は、水平方向（図中＋Ｘ方向）へ移送されながら被写体１に向けて複数回放射線を照射する。ここで、放射線源８２２は図中の位置Ｐ１、Ｐ２、Ｐ３の３箇所において放射線を照射する。
【００４２】
トモシンセシス撮影における第１回目の放射線撮影は、放射線源８２２が位置Ｐ１に位置しているときに実施される。
【００４３】
放射線源８２２が位置Ｐ１に移送されたときに発せられた放射線Ｌｅ１は、被写体１を透過し、この被写体１の放射線像を担持した放射線が放射線像検出装置１００の被写体用放射線検出パネル１０に入射し、この被写体用放射線検出パネル１０に被写体１の放射線像が記録される。
【００４４】
さらに、被写体用放射線検出パネル１０を透過した放射線像Ｌｅ１は、基準マーカ２０ａ、２０ｂを通って基準マーカ用放射線検出パネル３０に入射する。なお、図３は、基準マーカ２０ａを通った放射線が基準マーカ用放射線検出パネル３０に入射する様子を拡大して示すものである。
【００４５】
これにより、基準マーカ用放射線検出パネル３０には、被写体１を表す放射線像と被写体用放射線検出パネル１０を表す放射線像と基準マーカ２０ａ、２０ｂを表す放射線像とが記録される。
【００４６】
一方、被写体用放射線検出パネル１０には、被写体１を表す放射線像のみが記録され、基準マーカ２０ａ、２０ｂを表す放射線像が記録されることはない。
【００４７】
被写体用放射線検出パネル１０に記録された被写体１の放射線像を表す画像データは、電装部４０およびコンソール８８０を介して画像処理部８４０に出力される。
【００４８】
また、基準マーカ用放射線検出パネル３０に記録された基準マーカ２０ａ、２０ｂの放射線像等を表す画像データは、電装部４０およびコンソール８８０を介して画像処理部８４０に出力される。
【００４９】
ここで、図５に示すように、基準マーカ用放射線検出パネル３０に記録された放射線像を表す画像は、基準マーカ２０ａ、２０ｂそれぞれを表す画像Ｇ２０ａ（１）、２０ｂ（１）の他に、被写体１を表す画像Ｇ１（１）、および被写体用放射線検出パネル１０を表す画像Ｇ１０（１）を含んでいるが、基準マーカ２０ａ、２０ｂを構成する材料（鉛やタングステン等）の放射線透過率は、この放射線像検出装置１００を構成する他の一般的な材料、例えば樹脂材料、鉄材料、銅材料、アルミニウム材料等に比べて低いので、基準マーカ２０ａ、２０ｂを表す画像Ｇ２０ａ（１）、２０ｂ（１）と他の画像とを明確に区別することができる。
【００５０】
このように、基準マーカ用放射線検出パネル３０を介して得られた画像中にノイズとなる画像（例えば、被写体１の放射線像を表す画像、被写体用放射線検出パネル１０の放射線像を表す画像）が含まれていても、その画像中における基準マーカ２０ａ、２０ｂを表す画像Ｇ２０ａ（１）、２０ｂ（１）の位置の特定が妨げられることはない。
【００５１】
次に、トモシンセシス撮影における第２回目の放射線撮影が、放射線源８２２を位置Ｐ２に位置させているときに実施される。
【００５２】
放射線源８２２が位置Ｐ２に移送されたときに発せられた放射線Ｌｅ２は、第１回目の放射線撮影と同様に、被写体１を透過し、この被写体１の放射線像を担持した放射線が被写体用放射線検出パネル１０に入射する。さらに、放射線像Ｌｅ２は、被写体用放射線検出パネル１０、および基準マーカ２０ａ、２０ｂを通って基準マーカ用放射線検出パネル３０に入射する。
【００５３】
これにより、第１回目の放射線撮影と同様に、被写体用放射線検出パネル１０には、被写体１の放射線像を表す画像Ｇ１（２）のみが記録され、基準マーカ用放射線検出パネル３０には、基準マーカ２０ａ、２０ｂの放射線像を表す画像Ｇ２０ａ（２）、２０ｂ（２）等が記録される。
【００５４】
さらに、第２回目の放射線撮影により被写体用放射線検出パネル１０を介して得られた画像Ｇ１（２）を表す画像データ、および基準マーカ用放射線検出パネル３０を介して得られた画像Ｇ２０ａ（２）、２０ｂ（２）を表す画像データそれぞれは、電装部４０およびコンソール８８０を介して画像処理部８４０に出力される。
【００５５】
つづいて、トモシンセシス撮影における第３回目の放射線撮影が、放射線源８２２を位置Ｐ３に位置させているときに実施される。
【００５６】
放射線源８２２が位置Ｐ３に移送されたときに発せられた放射線Ｌｅ３は、第１回目および第２回目の放射線撮影と同様に、被写体１を透過し、この被写体１の放射線像を担持した放射線が被写体用放射線検出パネル１０に入射する。さらに、放射線像Ｌｅ３は、被写体用放射線検出パネル１０、および基準マーカ２０ａ、２０ｂを通って基準マーカ用放射線検出パネル３０に入射する。
【００５７】
これにより、第１回目および第２回目の放射線撮影と同様に、被写体用放射線検出パネル１０には、被写体１の放射線像を表す画像Ｇ１（３）のみが記録され、基準マーカ用放射線検出パネル３０には、基準マーカ２０ａ、２０ｂの放射線像を表す画像Ｇ２０ａ（３）、２０ｂ（３）等が記録される。
【００５８】
さらに、第３回目の放射線撮影により被写体用放射線検出パネル１０を介して得られた画像Ｇ１（３）を表す画像データ、および基準マーカ用放射線検出パネル３０を介して得られた画像Ｇ２０ａ（３）、２０ｂ（３）を表す画像データそれぞれは、電装部４０およびコンソール８８０を介して画像処理部８４０に出力される。
【００５９】
このようにして、図４および図６に示すように、上記第１回目の放射線撮影で得られた被写体１の放射線像を表す画像Ｇ（１）、および基準マーカ２０の放射線像を表す画像２０Ｇａ（１）、２０Ｇｂ（１）と、第２回目の放射線撮影で得られた被写体１の放射線像を表す画像Ｇ（２）、および基準マーカ２０の放射線像を表す画像２０Ｇａ（２）、２０Ｇｂ（２）と、第３回目の放射線撮影で得られた被写体１の放射線像を表す画像Ｇ（３）、および基準マーカ２０の放射線像を表す画像２０Ｇａ（３）、および画像２０Ｇｂ（３）がと電装部４０およびコンソール８８０を介して画像処理部８４０に出力される。
【００６０】
なお、図４は、第１回目の放射線撮影によって得られた被写体１の放射線像を表す画像Ｇ１（１）のみを示すものであるが、第２回目および第３回目の放射線撮影によって得られる被写体１の放射線像を表す画像も類似の画像なので、図４中に、第２回目の画像Ｇ１（２）および第３回目の画像Ｇ１（３）を画像Ｇ１（１）と共に併記した。
【００６１】
また、図６は、第１回目〜第３回目の各放射線撮影で、すなわち互に異なるタイミングで得られた画像２０Ｇａ（１）および２０Ｇｂ（１）、画像２０Ｇａ（２）および２０Ｇｂ（２）、画像２０Ｇａ（３）および２０Ｇｂ（３）を重ねて示す図である。
【００６２】
ここで、トモシンセシス撮影に関する３回の放射線撮影を行っている間は、基準マーカ用放射線検出パネル３０、および被写体用放射線検出パネル１０に対する基準マーカ２０ａ、２０ｂの互いの位置関係は変化しない。
【００６３】
また、被写体用放射線検出パネル１０と基準マーカ２０ａ、２０ｂと基準マーカ用放射線検出パネル３０の互いの位置関係は予め測定され、操作者によりコンソール８８０から入力され記憶されている。
【００６４】
さらに、例えば、基準マーカ２０ａ、２０ｂを表す画像２０Ｇａ（１）、２０Ｇｂ（１）と、被写体１を表す画像Ｇ１（１）とは同一画像中には存在しないが、基準マーカ２０ａ、２０ｂと被写体用放射線検出パネル１０との空間的な位置関係は上記のように予め求められ入力されているので、被写体１を表す画像Ｇ（１）に対する基準マーカ２０ａ、２０ｂを表す画像２０Ｇａ（１）、２０Ｇｂ（１）の位置を対応付けることができる。
【００６５】
したがって、電装部４０を介して上記各画像データを入力した画像処理部８４０は、第１回目の放射線撮影で得られた放射線画像中の基準マーカ２０ａ、２０ｂを表す画像２０Ｇａ（１）、２０Ｇｂ（１）の位置と、第２回目の放射線撮影で得られた放射線画像中の画像２０Ｇａ（２）、２０Ｇｂ（２）の位置と、第３回目の放射線撮影で得られた放射線画像中の画像２０Ｇａ（３）、２０Ｇｂ（３）の位置を基準にして、第１回目〜第３回目の各放射線撮影で得られた被写体１を表す画像Ｇ（１）、Ｇ（２）、Ｇ（３）を合成し、この被写体１中の特定の断面を表す断層画像を生成することができる。
【００６６】
画像処理部８４０で生成された被写体の断層画像は表示器８６０に表示される。
【００６７】
上記のように、放射線源８２２と被写体用放射線検出パネル１０との間に基準マーカ２０は存在しないので、基準マーカ２０の放射線像が被写体用放射線検出パネル１０に写し込まれることはない。したがって、操作者は、基準マーカ２０の存在を意識することなく、被写体１の放射線撮影を行うことができる。
【００６８】
なお、被写体中の特定の断面を表す断層画像を生成するトモシンセシス撮影の手法については、例えば、『塩見剛著、［特別講演論文］「トモシンセシスの原理と応用  〜ＰＦＰが生み出した新技術〜」、医学画像情報学会雑誌：Ｖｏｌ．２４；Ｎｏ．２（２００７）、２２頁〜２７頁』等を参照することができる。
【００６９】
以下、上記実施の形態の変形例について説明する。
【００７０】
図７は変形例１の放射線像検出装置を示す平面図であって、この変形例１の放射線像検出装置から被写体用放射線検出パネルを外した状態を上方から見た平面図である。
【００７１】
図７に示す変形例１の放射線像検出装置２００は、この放射線像検出装置２００に対して基準マーカを４つ設けたものである。すなわち、放射線像検出装置２００の中央に配された電装部２４０の＋Ｘ側に基準マーカ２２０ａ、−Ｘ側に基準マーカ２２０ｂ、＋Ｙ側に基準マーカ２２０ｃ、−Ｙ側に基準マーカ２２０ｄをそれぞれ配置したものである。
【００７２】
このように基準マーカを増加することにより、トモシンセシス撮影で得られた被写体１の放射線像を表す複数の画像をより合成する画像処理をより正確に実行することができ、被写体１中の断面を表すより品質の高い断層画像を得ることができる。
【００７３】
その他の構成および作用は説明済みの放射線像検出装置１００を備えた放射線像撮影システム８００の場合と同様なのでそれらの説明は省略する。
【００７４】
図８は変形例２の放射線像検出装置を示す正面図であって、この変形例２の放射線像検出装置をＸ−Ｚ平面で切断した状態を示す正面図、図９は変形例２の放射線像検出装置を示す平面図であって、この変形例２の放射線像検出装置から被写体用放射線検出パネルを外した状態を上方から見た平面図である。
【００７５】
図８および図９に示す変形例２の放射線像検出装置３００は、この放射線像検出装置３００の被写体用放射線検出パネル３１０の中央側（水平方向中央側）に基準マーカ用放射線検出パネル３３０と１つの基準マーカ３２０とを備え、被写体用放射線検出パネル３１０の周辺側（水平方向周辺側）に電装部３４０を備えたものである。
【００７６】
その他の構成および作用は説明済みの放射線像検出装置１００を備えた放射線像撮影システム８００の場合と同様なのでそれらの説明は省略する。
【００７７】
図１０は２つの構成要素に分離可能な変形例３の放射線像検出装置であって、この変形例３の放射線像検出装置をＸ−Ｚ平面で切断した状態を示す正面図、図１１は変形例３の放射線像検出装置を２つの構成要素に分離した状態を示す正面図である。
【００７８】
図１０および図１１に示すように、変形例３の放射線像検出装置４００は、説明済みの放射線像検出装置１００における構成要素を２つに分離可能にしたものである。
【００７９】
すなわち、変形例３の放射線像検出装置４００は、被写体用放射線検出パネル４１０および電装部４４０等の構成要素を収容する上部筐体４７０と、基準マーカ４２０および基準マーカ用放射線検出パネル４３０等の構成要素を収容する下部筐体４８０とからなるものであり、上部筐体４７０と下部筐体４８０とを上下方向に分離可能としたものである。
【００８０】
すなわち、上部構成要４７０と下部構成要素４８０とは分離可能であり、それらを結合したときには互いの位置関係が予め定められた位置関係に固定されるようになっている。
【００８１】
このように、放射線像検出装置４００を分離可能とすることにより、例えば、いずれか一方の構成要素が劣化したり、故障したりしたときの代替品をより容易に入手することができ、放射線像検出装置４００のメンテナンスがより容易となる。その他の構成および作用は説明済みの放射線像検出装置１００を備えた放射線像撮影システム８００の場合と同様なのでそれらの説明は省略する。
【００８２】
図１２は、変形例４の放射線像検出装置であって、この変形例４の放射線像検出装置をＸ−Ｚ平面で切断した状態を示す正面図である。
【００８３】
変形例４の放射線像検出装置５００は、被写体用放射線検出パネル５１０および電装部５４０等で構成された中央構成要５７０と、この中央構成要５７０の周辺に配置された、基準マーカ５２０および基準マーカ用放射線検出パネル５３０等で構成された周辺構成要素５８０とからなるものである。
【００８４】
ここで、この放射線像検出装置５００は、被写体用放射線検出パネル５１０の検出面５１１からこの検出面５１１に対して直交する方向（図中矢印−Ｚ方向、すなわち反被写体方向）に延びる領域から外れた領域５１０Ｒに、基準マーカ５２０ａ、５２０ｂを備えている。
【００８５】
なお、放射線像検出装置５００を構成する中央構成要５７０と周辺構成要素５８０とは一体化されたものであってもよいし、互に分離可能なものとしてもよい。その他の構成および作用は説明済みの放射線像検出装置１００を備えた放射線像撮影システム５００の場合と同様なのでそれらの説明は省略する。
【００８６】
なお、放射線検出パネルは、医療診断を目的とする放射線撮影に使用されるものであり、被写体の放射線像を検出し記録する平板状の媒体である。この放射線検出パネルとしては、放射線を直接電荷に変換しその電荷を蓄積する直接変換方式を採用したものや、放射線を一度ＣｓＩ：Ｔｌ、ＧＯＳ（Ｇｄ２Ｏ2Ｓ：Ｔｂ）などのシンチレータで光に変換し、その光を光導電層で電荷に変換し蓄積する間接変換方式を採用したものを採用することができる。
【００８７】
なお、本発明の放射線像検出装置は、被写体に対する放射線の照射方向および／または照射位置を変更しつつこの被写体の放射線撮影を複数回行なって得られる各放射線画像に基づいて被写体を表す診断用の画像を得るために用いられる放射線像検出装置であって、被写体を通った放射線を検出する被写体用放射線検出パネルと、放射線に対して不透明な基準マーカと、この基準マーカを通った放射線を検出する基準マーカ用放射線検出パネルを備え、基準マーカおよび基準マーカ用放射線検出パネルが、被写体用放射線検出パネルに対して分離可能なものであり、上記放射線撮影を行なうときには、被写体用放射線検出パネル、基準マーカ、基準マーカ用放射線検出パネルが被写体の側からこの順に配置可能となるように構成されたものとすることができる。
【００８８】
なお、本発明は、上記実施の形態および各変形例に限定されず種々の態様に変形しての実施が可能である。
【００８９】
例えば、本発明の放射線像検出装置は、ＣＴ装置による３次元画像の取得にも適用することができる。すなわち、ＣＴ装置のＣアームの一端に配置された放射線原に対向させてこのＣアームの他端に本発明の放射線像検出装置を配置し、上記放射線源から発せられ基準マーカを通った放射線を検出することによりこのＣアームの両端の位置関係の変化等を検出することができる。
【００９０】
なお、上記実施の形態においては、トモシンセシスの断層画像再構成における画像データ間の位置合わせに対して基準マーカを用いる例を示したが、この基準マーカを他のシステムに利用してもよいことは言うまでもない。例えば、放射線検出パネルを用い、被写体中の一部を重複撮影する放射線撮影を行って得られる複数の画像を合成し、放射線検出パネルよりも広い領域を表す長尺画像を得る場合において、重複撮影する際の重複領域に基準マーカを配置し、画像中に写し込まれるその基準マーカを上記複数の画像を合成する際の位置合わせに用いることも可能である。また、この基準マーカは、放射線の照射方向を変えて被写体中の同一部位を表す画像を２枚以上撮影し、その被写体をステレオ視するシステムや、Ｘ線動画像撮影の際に撮影装置のブレを検出・補正するための基準として用いても良い。
【符号の説明】
【００９１】
１    被写体
１０    被写体用放射線検出パネル
２０ａ、２０ｂ    基準マーカ
３０    基準マーカ用放射線検出パネル
４０    電装部
１００    放射線像検出器
【図１】
2011183004.tif 000003
【図２】
2011183004.tif 000004
【図３】
2011183004.tif 000005
【図４】
2011183004.tif 000006
【図５】
2011183004.tif 000007
【図６】
2011183004.tif 000008
【図７】
2011183004.tif 000009
【図８】
2011183004.tif 000010
【図９】
2011183004.tif 000011
【図１０】
2011183004.tif 000012
【図１１】
2011183004.tif 000013
【図１２】
2011183004.tif 000014